(57)【要約】  本開示の一態様は、広くには、（a）第1のハウジング本体と、前記第1のハウジング本体に取り外し可能に結合した第1の回路アセンブリと、前記第1の回路アセンブリに通信可能に接続されたユーザインターフェースアセンブリとを備える第1のハウジングアセンブリ、および（b）前記第1のハウジングアセンブリに取り外し可能に結合した第2のハウジングアセンブリを備えており、前記第2のハウジングアセンブリは、第2のハウジング本体と、前記第2のハウジング本体に取り外し可能に結合し、一式の生理学的センサを備えている第2の回路アセンブリと、前記第2の回路アセンブリ上に配置された取り外し可能なバッテリと、前記第2の回路アセンブリを前記第1の回路アセンブリに通信可能に接続する可撓コネクタとを備える、ウェアラブル生理学的デバイスであって、前記一式の生理学的センサは、当該ウェアラブル生理学的デバイスを装着中のユーザからの生理学的信号を測定するように構成され、前記生理学的信号を前記ユーザインターフェースアセンブリへと通信可能である、ウェアラブル生理学的デバイスに関する。【選択図】  図6
2021514770.tif 000002
【特許請求の範囲】
【請求項１】
ウェアラブル生理学的デバイスであって、
（a）第1のハウジング本体と、
前記第1のハウジング本体に取り外し可能に結合した第1の回路アセンブリと、
前記第1の回路アセンブリに通信可能に接続されたユーザインターフェースアセンブリと
を備える第1のハウジングアセンブリと、
（b）前記第1のハウジングアセンブリに取り外し可能に結合する第2のハウジングアセンブリであって、
第2のハウジング本体と、
前記第2のハウジング本体に取り外し可能に結合し、一式の生理学的センサを備えている第2の回路アセンブリと、
前記第2の回路アセンブリ上に配置された取り外し可能なバッテリと、
前記第2の回路アセンブリを前記第1の回路アセンブリに通信可能に接続する可撓コネクタと
を備える第2のハウジングアセンブリと
を備え、
前記一式の生理学的センサは、当該ウェアラブル生理学的デバイスを装着中のユーザからの生理学的信号を測定するように構成され、前記生理学的信号を前記ユーザインターフェースアセンブリへと通信可能である、ウェアラブル生理学的デバイス。
【請求項２】
前記一式の生理学的センサは、前記ユーザからのフォトプレチスモグラム（PPG）信号を測定するための1つ以上のフォトダイオードセンサを備える、請求項1に記載のウェアラブル生理学的デバイス。
【請求項３】
前記一式の生理学的センサは、前記ユーザの体温を測定するための1つ以上の温度センサを備える、請求項1または2に記載のウェアラブル生理学的デバイス。
【請求項４】
前記ユーザインターフェースアセンブリは、ディスプレイユニットを備える、請求項1〜3のいずれか一項に記載のウェアラブル生理学的デバイス。
【請求項５】
前記ディスプレイユニットは、前記ユーザによるタッチジェスチャ操作に合わせて構成されている、請求項4に記載のウェアラブル生理学的デバイス。
【請求項６】
前記ユーザインターフェースアセンブリは、視覚的信号を前記ユーザへと伝えるための一式の照明要素を備える、請求項1〜5のいずれか一項に記載のウェアラブル生理学的デバイス。
【請求項７】
前記第2のハウジングアセンブリは、前記第2のハウジング本体上に配置された一式の電気接点をさらに備え、前記一式の電気接点は、前記バッテリを充電するための電源に接続可能である、請求項1〜6のいずれか一項に記載のウェアラブル生理学的デバイス。
【請求項８】
前記第2のハウジングアセンブリは、前記一式の生理学的センサのためのセンサ保護カバーをさらに備える、請求項1〜7のいずれか一項に記載のウェアラブル生理学的デバイス。
【請求項９】
前記第1および第2のハウジング本体を取り外し可能に結合させるための一式の締結具をさらに備える、請求項1〜8のいずれか一項に記載のウェアラブル生理学的デバイス。
【請求項１０】
前記第1および第2のハウジング本体の間に配置された中間支持体をさらに備え、前記中間支持体は、前記第1および第2のハウジング本体の周辺を囲むことにより、前記第1および第2のハウジングアセンブリへの液体の進入を抑制する、請求項1〜9のいずれか一項に記載のウェアラブル生理学的デバイス。
【請求項１１】
前記第1の回路アセンブリに通信可能に接続されたデータ通信モジュールをさらに備える、請求項1〜10のいずれか一項に記載のウェアラブル生理学的デバイス。
【請求項１２】
前記データ通信モジュールを介して電子デバイスと通信可能である、請求項11に記載のウェアラブル生理学的デバイス。
【請求項１３】
一式のストラップをさらに備えており、前記第1のハウジングアセンブリは、前記ストラップを取り外し可能に取り付けるための一式のラグをさらに備える、請求項1〜12のいずれか一項に記載のウェアラブル生理学的デバイス。
【請求項１４】
前記第1のハウジングアセンブリは、前記ラグに配置された第1の係合要素をさらに備え、各々のストラップは、前記それぞれの第1の係合要素に噛み合って係合することができる第2の係合要素を備える、請求項13に記載のウェアラブル生理学的デバイス。
【請求項１５】
前記第1および第2の係合要素は、互いに一意に適合および整列する、請求項14に記載のウェアラブル生理学的デバイス。
【請求項１６】
各々のストラップは、該ストラップの近位端から遠位端へと寸法が小さくなる複数の穴を備える、請求項13〜15のいずれか一項に記載のウェアラブル生理学的デバイス。
【請求項１７】
各々のストラップにおいて、前記穴はランダムな間隔である、請求項16に記載のウェアラブル生理学的デバイス。
【請求項１８】
（a）ウェアラブル生理学的デバイスであって、
（i）第1のハウジング本体と、
前記第1のハウジング本体に取り外し可能に結合した第1の回路アセンブリと、
前記第1の回路アセンブリに通信可能に接続されたユーザインターフェースアセンブリと
を備える第1のハウジングアセンブリと、
（ii）前記第1のハウジングアセンブリに取り外し可能に結合する第2のハウジングアセンブリであって、
第2のハウジング本体と、
前記第2のハウジング本体に取り外し可能に結合し、生理学的信号を測定するための一式の生理学的センサを備えている第2の回路アセンブリと、
前記第2の回路アセンブリ上に配置された取り外し可能なバッテリと、
前記第2のハウジング本体上に配置された一式の電気接点と
を備える第2のハウジングアセンブリと
を備えているウェアラブル生理学的デバイスと、
（b）前記ウェアラブル生理学的デバイスを1つの向きにてドッキングさせるためのドッキングステーションであって、
（i）ドッキングアセンブリと、
（ii）前記ドッキングアセンブリ上に配置され、前記ドッキング時に前記ウェアラブル生理学的デバイスの前記電気接点に整列する一式の電気コネクタと
を備えているドッキングステーションと
を備え、
前記電気コネクタは、前記バッテリを充電するために前記ドッキング時に前記電気接点に接続可能である、生理学的装置。
【請求項１９】
前記第2のハウジング本体は、ボス部を備え、前記ドッキングアセンブリは、前記ボス部と実質的に合同なレセプタクル部を備える、請求項18に記載の生理学的装置。
【請求項２０】
前記レセプタクル部は、前記ドッキング時に前記ボス部を受け入れ、前記電気コネクタは、前記ウェアラブル生理学的デバイスの前記電気接点に自動的に整列する、請求項19に記載の生理学的装置。
【請求項２１】
前記ドッキングステーションは、前記ボス部を前記レセプタクル部へと引き付け、前記電気コネクタを前記電気接点に自動的に整列させるための一式の磁石をさらに備える、請求項20に記載の生理学的装置。
【請求項２２】
前記ドッキングステーションは、通信ケーブルを受け入れるための通信ポートをさらに備える、請求項18〜21のいずれか一項に記載の生理学的装置。
【請求項２３】
前記ウェアラブル生理学的デバイスは、一式のラグおよび該一式のラグに取り外し可能に取り付けられた一式のストラップをさらに備える、請求項18〜22のいずれか一項に記載の生理学的装置。
【請求項２４】
前記ウェアラブル生理学的デバイスは、前記ラグに配置された第1の係合要素をさらに備え、各々のストラップは、前記それぞれの第1の係合要素に噛み合って係合することができる第2の係合要素を備える、請求項23に記載の生理学的装置。
【請求項２５】
前記第1および第2の係合要素は、互いに一意に適合および整列する、請求項24に記載の生理学的装置。
【請求項２６】
各々のストラップは、該ストラップの近位端から遠位端へと寸法が小さくなる複数の穴を備える、請求項23〜25のいずれか一項に記載の生理学的装置。
【請求項２７】
各々のストラップにおいて、前記穴はランダムな間隔である、請求項26に記載の生理学的装置。
【請求項２８】
前記ドッキングステーションは、前記ドッキングアセンブリを持ち上げるための一式のスタンドをさらに備える、請求項18〜27のいずれか一項に記載の生理学的装置。
【発明の詳細な説明】
【技術分野】
【０００１】
［関連出願の相互参照］
本開示は、2018年3月2日に出願されたシンガポール特許出願番号10201801744Tの利益を主張し、このシンガポール特許出願は、参照によりその全体が本明細書に組み込まれる。
【０００２】
本開示は、広くには、ウェアラブルな生理学的デバイスおよび装置に関する。より具体的には、本開示は、ユーザの例えば手首などに装着可能であり、ユーザからの生理学的信号を測定する生理学的デバイス、ならびにウェアラブル生理学的デバイスと、ウェアラブル生理学的デバイスを充電するためのドッキングステーションとを含む生理学的装置の種々の実施形態を説明する。
【背景技術】
【０００３】
人々は、家庭での使用および自身の健康の自己監視に関して、民生用のテクノロジおよびデバイスをますます意識するようになっている。とくには、人々が健康に関するさまざまなデータを取得するために着用できるさまざまな種類のウェアラブルデバイスが存在する。これらのウェアラブルデバイスは、通常は、心拍数および血圧などの生理学的信号を測定するためのさまざまなセンサを有する。しかしながら、これらのウェアラブルデバイスは、データの収集および受動的な健康管理のために長期間にわたって着用されることが多く、長期間の使用後にデバイスが故障したり、損傷したりする傾向がある。ユーザは、損傷したデバイスを交換しなければならず、費用の増加につながる。
【０００４】
米国特許出願公開第20150296963号および第20150261189号が、センサを備えたウェアラブルデバイスのいくつかの例を説明している。とくには、これらのデバイスは、リストストラップから取り外すことができるヘッドアセンブリを有する。長期間の使用後にデバイスが損傷した場合、ユーザは、潜在的には、ヘッドアセンブリのみを交換することができる。しかしながら、ヘッドアセンブリ全体を交換する必要がある。ヘッドアセンブリは、おそらくはデバイスの最も高価なコンポーネントであるため、ヘッドアセンブリの交換は、依然として大きな出費につながる。したがって、ユーザがウェアラブルデバイスまたはその種々のコンポーネントをどのように交換／修理できるかについて、範囲は限られている。
【０００５】
したがって、上述の問題および／または欠点のうちの少なくとも1つに対処し、あるいは上述の問題および／または欠点のうちの少なくとも1つを軽減するために、先行技術に対する少なくとも1つの改善および／または利点が存在するウェアラブル生理学的デバイスおよび装置を提供する必要がある。
【発明の概要】
【０００６】
本開示の第1の態様によれば、ウェアラブル生理学的デバイスが、（a）第1のハウジング本体と、前記第1のハウジング本体に取り外し可能に結合した第1の回路アセンブリと、前記第1の回路アセンブリに通信可能に接続されたユーザインターフェースアセンブリとを備える第1のハウジングアセンブリ、および（b）前記第1のハウジングアセンブリに取り外し可能に結合した第2のハウジングアセンブリであって、前記第2のハウジングアセンブリは、第2のハウジング本体と、前記第2のハウジング本体に取り外し可能に結合し、一式の生理学的センサを備えている第2の回路アセンブリと、前記第2の回路アセンブリ上に配置された取り外し可能なバッテリと、前記第2の回路アセンブリを前記第1の回路アセンブリに通信可能に接続する可撓コネクタとを備え、前記一式の生理学的センサは、当該ウェアラブル生理学的デバイスを装着中のユーザからの生理学的信号を測定するように構成され、前記生理学的信号を前記ユーザインターフェースアセンブリへと通信可能である。
【０００７】
本開示の第2の態様によれば、生理学的装置が、（a）（i）第1のハウジング本体と、前記第1のハウジング本体に取り外し可能に結合した第1の回路アセンブリと、前記第1の回路アセンブリに通信可能に接続されたユーザインターフェースアセンブリとを備える第1のハウジングアセンブリと、（ii）前記第1のハウジングアセンブリに取り外し可能に結合した第2のハウジングアセンブリであって、前記第2のハウジングアセンブリは、第2のハウジング本体と、前記第2のハウジング本体に取り外し可能に結合し、生理学的信号を測定するための一式の生理学的センサを備えている第2の回路アセンブリと、前記第2の回路アセンブリ上に配置された取り外し可能なバッテリと、前記第2のハウジング本体上に配置された一式の電気接点とを備えている、ウェアラブル生理学的デバイスと、（b）前記ウェアラブル生理学的デバイスを1つの向きにてドッキングさせるためのドッキングステーションであって、（i）ドッキングアセンブリと、（ii）前記ドッキングアセンブリ上に配置され、前記ドッキング時に前記ウェアラブル生理学的デバイスの前記電気接点に整列する一式の電気コネクタとを備えている、ドッキングステーションと、を備え、前記電気コネクタは、前記バッテリを充電するために前記ドッキング時に前記電気接点に接続可能である。
【０００８】
本開示の上述の態様のうちの1つ以上の態様の利点は、第1のハウジングアセンブリおよび第2のハウジングアセンブリ、ならびにそれらのさまざまな構成要素が、互いに取り外し可能に結合し、したがってユーザによる分解および再組み立てが可能であることである。これらのコンポーネントを、損傷したり、長期間の使用によって摩耗したりした場合に、ユーザが容易に交換することができる。好都合なことに、ユーザは、1つまたはいくつかのコンポーネントのみが損傷した場合に、生理学的デバイスの全体を交換する必要がなく、したがって修理にかかる費用が削減される。生理学的デバイスについて、ユーザの管理の余地が大きくなり、これは、生理学的デバイスの寿命を延ばすのに役立つ。
【０００９】
したがって、本開示によるウェアラブル生理学的デバイスおよび装置が、本明細書に開示される。本開示のさまざまな特徴、態様、および利点が、あくまでも非限定的な例として、本開示の実施形態の以下の詳細な説明から、添付の図面と併せて、さらに明らかになるであろう。
【図面の簡単な説明】
【００１０】
【図１Ａ】本開示の実施形態によるウェアラブル生理学的デバイスの種々の図を示している。
【図１Ｂ】本開示の実施形態によるウェアラブル生理学的デバイスの種々の図を示している。
【図１Ｃ】本開示の実施形態によるウェアラブル生理学的デバイスの種々の図を示している。
【図１Ｄ】本開示の実施形態によるウェアラブル生理学的デバイスの種々の図を示している。
【図２Ａ】本開示の別の実施形態によるウェアラブル生理学的デバイスの種々の図を示している。
【図２Ｂ】本開示の別の実施形態によるウェアラブル生理学的デバイスの種々の図を示している。
【図３Ａ】本開示の実施形態によるウェアラブル生理学的デバイスの詳細図を示している。
【図３Ｂ】本開示のいくつかの実施形態によるウェアラブル生理学的デバイスの底面図を示している。
【図３Ｃ】本開示のいくつかの実施形態によるウェアラブル生理学的デバイスの底面図を示している。
【図３Ｄ】本開示のいくつかの実施形態によるウェアラブル生理学的デバイスの底面図を示している。
【図４Ａ】本開示の実施形態によるウェアラブル生理学的デバイスのヘッドアセンブリの種々の図を示している。
【図４Ｂ】本開示の実施形態によるウェアラブル生理学的デバイスのヘッドアセンブリの種々の図を示している。
【図４Ｃ】本開示の実施形態によるウェアラブル生理学的デバイスのヘッドアセンブリの種々の図を示している。
【図４Ｄ】本開示の実施形態によるウェアラブル生理学的デバイスのヘッドアセンブリの種々の図を示している。
【図５】本開示の実施形態によるヘッドアセンブリの分解図を示している。
【図６】本開示の実施形態によるヘッドアセンブリの別の分解図を示している。
【図７Ａ】本開示の実施形態によるヘッドアセンブリのディスプレイユニットの断面図を示している。
【図７Ｂ】本開示の実施形態によるヘッドアセンブリの第1のハウジングアセンブリの種々の図を示している。
【図７Ｃ】本開示の実施形態によるヘッドアセンブリの第1のハウジングアセンブリの種々の図を示している。
【図７Ｄ】本開示の実施形態によるディスプレイユニットの分解図を示している。
【図８】本開示の実施形態による分解された形態のヘッドアセンブリの断面図を示している。
【図９】本開示の実施形態によるヘッドアセンブリのアクチュエータの周囲の領域の断面図を示している。
【図１０】本開示の実施形態によるウェアラブル生理学的デバイスの機能ブロック図を示している。
【図１１】本開示の実施形態によるヘッドアセンブリの第1のハウジングアセンブリの組み立てを示している。
【図１２】本開示の実施形態によるヘッドアセンブリの第2のハウジングアセンブリの組み立てを示している。
【図１３】本開示の実施形態によるヘッドアセンブリの組み立てを示している。
【図１４】本開示の実施形態による生理学的装置のドッキングステーションの斜視図を示している。
【図１５】本開示の実施形態によるドッキングステーションの分解図を示している。
【図１６】本開示のいくつかの実施形態によるコンピュータの技術的アーキテクチャのブロック図を示している。
【発明を実施するための形態】
【００１１】
本開示において、特定の図または対応する説明資料でのその図への言及における所与の要素または考慮事項の描写あるいは特定の要素番号の使用は、別の図またはそれに関連する説明資料において識別される同一、同等、または類似の要素または要素番号を包含することができる。図または関連の文章における「／」の使用は、別段の指定がない限り、「および／または」を意味すると理解される。本明細書において使用されるとき、用語「セット」は、既知の数学的定義に従い、少なくとも1の濃度を数学的に示す要素の空でない有限の組織に対応し、あるいはそのように定義される（例えば、本明細書で定義されるセットは、ユニット、シングレット、または単一要素のセット、または複数要素のセットに対応できる）。本明細書における特定の数値または数値範囲の記載は、近似の数値または数値範囲を含み、あるいは近似の数値または数値範囲の記載であると理解される。
【００１２】
簡潔かつ明確にするために、本開示の実施形態の説明は、図面に従って、ウェアラブル生理学的デバイスおよび生理学的装置に関する。本開示の態様が、本明細書に提示の実施形態と併せて説明されるが、それらが、本開示をこれらの実施形態に限定することを意図していないことを、理解できるであろう。むしろ、本開示は、添付の特許請求の範囲によって定められる本開示の範囲に含まれる本明細書に記載の実施形態の代替物、修正物、および均等物を包含するように意図される。さらに、以下の詳細な説明においては、本開示の完全な理解をもたらすために、特定の詳細が説明される。しかしながら、特定の詳細によらず、さらには／あるいは特定の実施形態の態様の組み合わせから生じる多数の詳細によって本開示を実施できることを、この技術分野において通常の技能を有する個人、すなわち当業者であれば、理解できるであろう。いくつかの場合において、周知のシステム、方法、手順、およびコンポーネントは、本開示の実施形態の態様を不必要に不明瞭にしてしまうことがないよう、詳細には説明されていない。
【００１３】
「実施形態／例」、「別の実施形態／例」、「いくつかの実施形態／例」、「いくつかの他の実施形態／例」、などへの言及は、そのように説明された実施形態／例が、特定の特徴、構造、特性、属性、要素、または制限を含んでよいが、必ずしもすべての実施形態／例が、その特定の特徴、構造、特性、属性、要素、または制限を含むわけではないことを意味する。さらに、「実施形態／例において」または「別の実施形態／例において」という言葉が繰り返し使用されるとき、それらは必ずしも同じ実施形態／例を指すとは限らない。「・・・を備える」、「・・・を含む」、「・・・を有する」、などの用語は、実施形態において列挙された特徴／要素／ステップ以外の他の特徴／要素／ステップの存在を排除するものではない。特定の特徴／要素／ステップが互いに異なる実施形態において述べられたとしても、それは、或る実施形態においてこれらの特徴／要素／ステップを組み合わせて使用することができないという意味ではない。本明細書において使用されるとき、「a」および「an」は、1つまたは2つ以上と定義される。図または関連の文章における「／」の使用は、別段の指定がない限り、「および／または」を意味すると理解される。
【００１４】
本明細書において使用されるとき、用語「コンポーネント」、「モジュール」、「システム」、「インターフェース」、などは、一般に、ハードウェア、ハードウェアとソフトウェアとの組み合わせ、ソフトウェア、または実行中のソフトウェアのいずれかのコンピュータ関連のエンティティを指すように意図される。例えば、コンポーネントまたはモジュールは、プロセッサ上で実行中のプロセス、プロセッサ、オブジェクト、実行可能ファイル、実行スレッド、プログラム、および／またはコンピュータであってよいが、これらに限られるわけではない。例として、コントローラ上で実行中のアプリケーションおよびコントローラのどちらも、コンポーネント／モジュールであり得る。1つ以上のコンポーネント／モジュールが、プロセスおよび／または実行スレッド内に存在し得る。
【００１５】
ウェアラブル生理学的デバイス
本開示の代表的または典型的な実施形態においては、図1A〜図1Dに示されるとおりのウェアラブル生理学的デバイス20が存在する。一般に、生理学的デバイス20は、例えばユーザの手首に装着されるなど、ユーザの生理学的健康および機能を監視するためにユーザに装着可能である。ウェアラブル生理学的デバイス20は、ユーザの生理学の前記監視に関連するさまざまな動作を実行するためのヘッドアセンブリ30を含む。例えば、ヘッドアセンブリ30は、ユーザからの生理学的信号またはデータを収集および処理するように構成される。処理されたデータは、ユーザの活動、睡眠、またはストレス状態に関する情報など、さまざまな種類の情報をユーザに提供することができる。さらに、ヘッドアセンブリ30は、別個の回収プラットフォームへと取り付け可能であってよく、ユーザが自身の腕および／または指の一部を回収プラットフォーム上に配置して、ユーザの生理学的健康の監視時に安定性をさらに追加することができる。
【００１６】
ヘッドアセンブリ30は、第1のハウジングアセンブリ100と、第1のハウジングアセンブリ100に取り外し可能に結合した第2のハウジングアセンブリ200とを含む。ユーザに装着されたとき、第1のハウジングアセンブリ100は、第2のハウジングアセンブリ200の上方に位置し、第2のハウジングアセンブリ200が、ユーザの皮膚表面に面する。
【００１７】
さらに、ウェアラブル生理学的デバイス20は、ユーザの手首に巻き付けられ、あるいはユーザの手首を取り囲む一式のストラップまたはバンド22を含む。いくつかの実施形態においては、単一の連続ストラップ22が存在し、ヘッドアセンブリ30は、例えばストラップ22の中央部分へのクリップ固定、係止、および／またはスナップ固定などの取り付けにより、ストラップ22に取り外し可能に取り付けられ、あるいは結合する。ヘッドアセンブリ30に取り付けられた単一の連続ストラップ22は、ユーザの手首の一部分の周囲に巻き付けることができる。
【００１８】
いくつかの実施形態において、ヘッドアセンブリ30は、一組のラグ102を含む。一実施形態において、第1のハウジングアセンブリ100は、その各側にラグ102のペアを含む。ラグ102の各ペアにおいて、ラグ102は、互いに長手方向に離れ、すなわちユーザの腕の長さに沿って離れている。ウェアラブル生理学的デバイス20は、ラグ102に取り外し可能に取り付けられた2つの別個のストラップ22を含む。具体的には、各々のストラップ22が、近位端22aおよび遠位端22bを有し、近位端22aが、ラグ102のそれぞれのペアへと取り外し可能に取り付けられる。2つの別個のストラップ22は、類似した長さ／幅および／または異なる長さ／幅であってよく、組み合わせられたときにユーザの手首に外接する、あるいは取り囲む。
【００１９】
図1Bおよび図1Cに示されるとおりのいくつかの実施形態においては、ストラップ22の一方が、複数の穴または凹部24を含む。ストラップ22の他方は、その遠位端22bにストラップファスナ26を含む。突出部またはフック要素などであり、あるいは突出部またはフック要素を含むストラップファスナ26を、ユーザの手首への生理学的デバイス20の装着および適合のために、穴24のうちの1つに係合させることができる。複数の穴24は、生理学的デバイス20をユーザのさまざまな手首のサイズに適合させる柔軟性をユーザに提供する。ストラップファスナ26が、当業者に知られているさまざまな形態であってよいことを、理解できるであろう。
【００２０】
図1Dに示されるようないくつかの実施形態において、ストラップファスナ26は、ストラップファスナ26を貫くラッチピン27bによってクラスプ27aに係合し、あるいは取り付けられる。ラッチピン27bは、クラスプ27aを取り外すためにストラップファスナ26から分離可能であってよい。クラスプ27aは、ユーザの手首を囲み、あるいは取り囲むために、反対側のストラップ22の複数の穴24のうちの任意の1つに係合できる突出部を有することができる。あるいは、これらの部品を、図2Aおよび図2Bに示されるような標準的な腕時計バックル27で置き換えてもよい。
【００２１】
図1B〜図1Dに示されるようないくつかの実施形態において、一方のストラップ22に沿った穴24は、同一の寸法および形状を有する。例えば、ストラップ22に沿ったすべての穴24が、同じ直径を有する円形である。図2Aおよび図2Bに示されるようないくつかの他の実施形態においては、ストラップ22の一方または両方に沿った穴24が、細長く、すなわちスロット25の形態に形作られ、スロット25のいくつかが他のスロットと異なる寸法を有する。各々のストラップについて、ストラップ22の近位端22aに最も近いスロット25が最も長く、ストラップ22の遠位端22bに近いスロット25が最も短く、スロット25の長さが近位端22aから遠位端22bへと徐々に減少する。一例においては、近位端22aから遠位端22bまで、各々のスロット25が次のスロット25よりも長く、したがってすべてのスロット25が異なる長さを有する。別の例においては、例えば隣り合うスロット25の各ペアの後で長さが減少する場合など、スロット25のいくつかが同じ長さを有する。さらに、隣り合うスロット25の各ペアの間の間隔は、同一であってよく、あるいはスロット25がランダムな間隔で位置してもよい。スロット25は、ストラップ22の一方または両方に存在でき、スロット25の配置は、生理学的デバイス20がユーザの手首に装着されたときに通気性を向上させる。さらに、ユーザが、自身の個人的な生理学的デバイス20をより容易に識別できるように、スロット25が何らかのパターンにて配置されることを好む可能性もある。ストラップ22に、識別を容易にするために、ユーザの署名／記章29を刻印し、あるいは彫り込むことができる。
【００２２】
図1Aを参照すると、各々のストラップ22は、近位端22aまたは近位端付近に配置された延長部22cを含む。延長部22cは、生理学的デバイス20の装着時に快適さを提供するために、面取りまたはフィレット加工されてよい。生理学的デバイス20がユーザの手首に装着されたとき、延長部22cとヘッドアセンブリ30との間にギャップ28が形成される。延長部22cは、生理学的デバイス20をさらに固定し、ユーザの腕の長さに沿って移動することがないようにするために、ぴったりとしたフィットを提供することができる。ユーザの手首から取り外されるとき、ストラップ22は外され、生理学的デバイス20をテーブルなどの表面に置くことができ、ヘッドアセンブリ30の重量が下方へと加わり、ギャップ28が減少する。延長部22cは、ヘッドアセンブリ30に係合し、ヘッドアセンブリ30が表面に接触することを防ぐことにより、生理学的デバイス20が表面に置かれるときに、より大きな安定性をもたらす。さらに、ユーザは、平行な眼の高さの視野にて生理学的デバイス20からの出力を表示して眺めることができる。
【００２３】
上述のように、ストラップ22は、ラグ102に取り外し可能に取り付けられる。ストラップ22のラグ102への取り付けが、腕時計のストラップおよびラグの取り付けと同様または類似であることを、理解できるであろう。図3Aを参照すると、一実施形態においては、一方または両方のストラップ22が、ストラップ22を取り付けるためにラグ102と係合する固定ピン23aを近位端22aに備える。ラグ102のうちの1つが、固定ピン23aを受け入れるための穴を有する。固定ピン23aは、例えばばねによる付勢によって格納可能であり、したがって固定ピン23aを穴から容易に外し、ストラップ22を取り外すことができる。これにより、ストラップ22を交換し、あるいは別の個人的なストラップ22で置き換えるために、例えばクリップ固定、係止、および／またはスナップ固定による素早い解放が可能になる。
【００２４】
やはり図3Aに示されているように、第1のハウジングアセンブリ100は、ラグ102に配置され、とくにはラグ102の一方または両方のペアの間に配置された係合要素103を含む。一方または両方のストラップ22が、近位端22aに、それぞれの係合要素103との係合のための係合要素23bを含む。ストラップ22に配置された係合要素23bおよび第1のハウジングアセンブリ100に配置された係合要素103は、当業者にとって既知の標準的な雄および雌の締結具の間の係合と同様に、互いに噛み合って係合可能である。さらに、係合要素23bおよび103は、特定の構成を有する係合要素23bが特定の構成を有する係合要素103に一意に適合および整列するように、異なる設計および構成を有する。図3Aは、互いに一意に適合および整列する係合要素23bおよび103の構成の例を示している。したがって、ユーザが、係合要素23bおよび103の特定の構成を有する生理学的デバイス20を有する場合、ユーザは、ストラップ22を同じ係合要素23bを有する他のストラップ22と交換することができる。これにより、ユーザを、ユーザの既存の生理学的デバイス20にうまく適合せず、あるいはまったく適合しない可能性がある模造のストラップ22を入手する代わりに、本来の製造者からの本物のストラップ22を購入するように促すことができる。図3B〜図3Dが、係合要素103の別の構成を示している。ストラップ22が、係合要素103と噛み合って係合するための一致する係合要素23bを有することを、理解できるであろう。また、そのような噛み合う係合要素23bおよび103の使用が、一方のストラップ22のみであっても、両方のストラップ22であってもよいことを、理解できるであろう。
【００２５】
図4A〜図4Dを参照すると、ヘッドアセンブリ30は、互いに取り外し可能に結合した第1のハウジングアセンブリ100および第2のハウジングアセンブリ200を含む。第1のハウジングアセンブリ100は、第1のハウジング本体104を含み、第2のハウジングアセンブリ200は、第2のハウジング本体202を含み、第2のハウジング本体202は、第1のハウジング本体104の下方に配置され、第1のハウジング本体104に取り外し可能に結合する。第1のハウジングアセンブリ100は、第1のハウジング本体104に取り付けられ、あるいは結合したユーザインターフェースアセンブリ106をさらに含む。
【００２６】
ユーザインターフェースアセンブリ106は、第1のハウジング本体104の上部に取り付けられ、あるいは結合したディスプレイユニット108を含む。ディスプレイユニット108は、生理学的デバイス20を制御するためのユーザインターフェースをユーザに提供する画面110を提示する。一実施形態においては、画面110の全体が、ユーザからの制御入力を受け取るように構成される。図4Bに示されるような別の実施形態においては、画面110が、ユーザインターフェース領域112と非アクティブ領域114とに分けられる。ユーザインターフェース領域112が、ユーザからの制御入力を受け取るように構成される一方で、非アクティブ領域114は、ユーザ入力に応答しない。ディスプレイユニット108を、画面110上でのユーザによるタッチジェスチャ操作に合わせて構成することができる。例えば、ユーザは、画面110のユーザインターフェース領域112におけるタッチジェスチャによって、さまざまな操作を実行することができる。非インタラクティブ領域114は、これらのタッチ操作に応答して関連情報をユーザに提供することができる。
【００２７】
ユーザインターフェースアセンブリ106は、例えば色表示などの視覚的信号をユーザへと伝達するために、発光ダイオード（LED）などの一式の照明要素116をさらに含むことができる。ディスプレイユニット108は、異なる色の異なるフィルタ要素を保持または配置するためのフィルタ部と一緒に配置されてもよい。これにより、フィルタ部は、フィルタ要素の選択に基づいてユーザが望むとおりのさまざまな色表示を得るように、照明要素116と協働することができる。
【００２８】
ユーザインターフェースアセンブリ106は、種々の機能の間での切り替えなど、生理学的デバイス20のユーザによる操作のために、第1のハウジング本体104の外側部分または周辺部分に配置されたアクチュエータまたはボタン118を含む。種々の機能は、例えば距離および／またはカロリーのカウントなどの活動に関する情報や、現在または過去の精神状態を含む睡眠および／またはストレス状態についての情報をユーザに提供する、などであってよい。
【００２９】
第2のハウジングアセンブリ200は、第2のハウジング本体202の下部に配置された一式の生理学的センサ204を含む。とくには、第2のハウジング本体202の下部とは、第2のハウジング本体202の下方に突出するボス部206を指す。生理学的センサ204は、ユーザが生理学的デバイス20を装着しているときにユーザの皮膚に接触（または、少なくとも実質的に近接）するように、ボス部206に配置される。生理学的センサ204は、生理学的デバイス20を装着しているユーザからの生理学的信号を測定するように構成される。これらの生理学的信号は、心拍数、血圧、フォトプレチスモグラム（PPG）信号、および体温のうちの1つ以上を含むが、これらに限られるわけではない。一実施形態において、生理学的センサ204は、ユーザの血管からPPG信号を測定するための1つ以上のフォトダイオードセンサを含む。第2のハウジングアセンブリ200は、フォトダイオードセンサを補完するLEDなどの照明要素208をさらに含むことができる。とくには、ユーザの皮膚が照明要素208によって照明され、フォトダイオードセンサが光吸収の変化を測定する。別の実施形態において、生理学的センサ204は、ユーザの体温を測定するための1つ以上の温度センサを含む。生理学的センサ204が、さまざまな種類の生理学的信号およびデータをユーザから測定するために互いに組み合わせて使用される1つ以上の異なる種類を含み得ることを、理解できるであろう。測定された生理学的信号およびデータは、生理学的デバイス20内に位置するデータベースに格納される。別の例において、測定された生理学的信号およびデータは、生理学的デバイス20とは別の電子デバイスに接続されたときにオンザフライでストリーミングされてもよい。この電子デバイスは、コンピュータ、携帯電話機、または生理学的信号およびデータを受信および格納するためのデータベースを内部に有する何らかのリモートサーバであってよい。
【００３０】
第2のハウジングアセンブリ200は、第2のハウジング本体202の下部に配置された一式の電気または充電接点／パッド210を含む。第2のハウジングアセンブリ200を第1のハウジングアセンブリ100から取り外し、あるいは分離させたヘッドアセンブリ30の分解図を示している図5を参照すると、第2のハウジングアセンブリ200は、第2のハウジング本体202内に配置された取り外し可能なバッテリ212を含み、バッテリ212が生理学的デバイス20を動作させる。一実施形態においては、古いバッテリ212を第2のハウジング本体202から取り外し、新しいバッテリ212を第2のハウジング本体202へと単に挿入することができる。別の実施形態においては、新しいバッテリ212が、第2のハウジング本体202へと挿入され、標準的なはんだ付けツールを使用してはんだ付けされる。バッテリ212は、例えばリチウムイオンポリマー電池など、充電式であってよく、電気接点210は、バッテリ212を充電するための電源に接続可能である。例えばバッテリ212が損傷して、第2のハウジング本体202から取り外された場合など、バッテリ212が存在しないときに、生理学的デバイス20を電気接点210を介して電源から直接動作させることができることを、理解できるであろう。
【００３１】
ヘッドアセンブリ30の別の分解図を示している図6をさらに参照すると、第1のハウジングアセンブリ100および第2のハウジングアセンブリ200は、1組の締結具32を介して互いに取り外し可能に結合する。締結具32は、ねじ回しなどの一般的な家庭用工具でユーザが取り外すことができるねじまたはボルトであってよい。したがって、第1のハウジングアセンブリ100および第2のハウジングアセンブリ200は、ユーザによる容易な分解および再組み立てが可能である。
【００３２】
第1のハウジングアセンブリ100は、第1のハウジング本体104に取り外し可能に結合した第1の回路アセンブリ120を含む。第2のハウジングアセンブリ200は、第2のハウジング本体202に取り外し可能に結合した第2の回路アセンブリ214を含む。当業者であれば容易に理解できるとおり、第1の回路アセンブリ120および第2の回路アセンブリ214の各々は、種々の電気／電子コンポーネントを支持および電気的に接続するプリント回路基板（PCB）を含む。
【００３３】
いくつかの実施形態において、第1の回路アセンブリ120は、第1のハウジング本体104に結合し、ユーザインターフェースアセンブリ106の下方に配置される。さらに、ユーザインターフェースアセンブリ106は、第1の回路アセンブリ120に通信可能に接続され、したがってユーザが例えばユーザインターフェース領域112およびアクチュエータ118などのユーザインターフェースアセンブリ106において実行する操作が、処理のために第1の回路アセンブリ120に通信される。一実施形態において、第1の回路アセンブリ120は、第1の回路アセンブリ120の容易な分解および再組み立てをユーザにとって可能にする例えばねじなどの一組の締結具122によって第1のハウジング本体104に取り外し可能に結合する。
【００３４】
いくつかの実施形態において、第2の回路アセンブリ214は、第2のハウジング本体202に結合する。具体的には、第2の回路アセンブリ214は、例えば当業者にとって既知の取り付けまたは係止機構によって、第2のハウジング本体202の内面に取り外し可能に結合する。第2の回路アセンブリ214は、生理学的センサ204、照明要素208、および取り外し可能なバッテリ212を含む。生理学的センサ204は、第2の回路アセンブリ214の一方側に配置され、バッテリ212は、第2の回路アセンブリ214の反対側に配置される。
【００３５】
第2の回路アセンブリ214は、第2の回路アセンブリ214を第1の回路アセンブリ120に通信可能に接続する可撓コネクタ216を含む。具体的には、可撓コネクタ216の一端が、第2の回路アセンブリ214に接続され、可撓コネクタ216の他端が、第1のハウジングアセンブリ100と第2のハウジングアセンブリ200とを互いに組み立てるときに第1の回路アセンブリ120に接続される。可撓コネクタ216は、第1の回路アセンブリ120と第2の回路アセンブリ214との間のデータおよび電気を含む電子通信を可能にする可撓プリント回路（FPC）である。例えば、生理学的センサ204によって測定された生理学的信号を、第2の回路アセンブリ214から可撓コネクタ216を介して第1の回路アセンブリ120へと通信でき、その後に処理してディスプレイユニット108上でユーザへと表示することができる。さらに、バッテリ212からの電気も、電気接点210から第2の回路アセンブリ214へと導かれ、次いで第1の回路アセンブリ120へと導かれる。
【００３６】
一実施形態において、第2のハウジングアセンブリ200は、触覚デバイス218と、第2のハウジング本体202に結合した随意による加速度計とを含む。触覚デバイス218は、ユーザが生理学的デバイス20を装着しているときに、例えば力、振動、および／または運動をユーザへと加えることによって、運動感覚の伝達をユーザへともたらす触覚モータを含む。例えば、運動感覚の伝達は、例えば力および振動のフィードバックなど、生理学的信号から導出される種々の結果に応じたユーザへの触覚フィードバックの形態であってよい。触覚デバイス218を、触覚デバイス218の容易な分解および再組み立てをユーザにとって可能にする例えばねじなどの一組の締結具220によって第2のハウジング本体202に取り外し可能に結合させることができる。
【００３７】
いくつかの実施形態において、ウェアラブル生理学的デバイス20は、第1のハウジングアセンブリ100と第2のハウジングアセンブリ200との間に配置された中間支持体34を含む。中間支持体34は、第1のハウジングアセンブリ100および第2のハウジングアセンブリ200への液体の進入または浸透を抑制／低減して、生理学的デバイス20に耐水性をもたらすために、第1のハウジング本体104および第2のハウジング本体202の周辺を取り囲むように配置される。具体的には、中間支持体34は、中間支持体34の周辺を巡って配置され、第1のハウジングアセンブリ100と第2のハウジングアセンブリ200とが組み立てられて結合するときに第1のハウジングアセンブリ100と第2のハウジングアセンブリ200の間の空間を密封するシール要素36を含む。
【００３８】
ディスプレイユニット108の断面図を示している図7Aに示されるように、第1のハウジングアセンブリ100は、第1の回路アセンブリ120とディスプレイユニット108との間の電子通信を可能にするFPCである可撓コネクタ124を含む。具体的には、可撓コネクタ124の一端が、第1の回路アセンブリ120に接続され、可撓コネクタ124の他端が、ディスプレイユニット108に接続される。可撓コネクタ124は、ディスプレイユニット108上で行われたタッチジェスチャを第1の回路アセンブリ120へと通信するための一式のタッチコントローラまたはタッチ制御モジュール／コンポーネント126を含む。
【００３９】
一実施形態においては、ユーザに視覚的表示を提供するために、ディスプレイユニット108上に照明要素116が配置される。別の実施形態において、照明要素116は、第1の回路アセンブリ120上に配置される。ディスプレイユニット108は、照明要素116からの光を通過させることができるように、照明要素116に位置合わせされた1つ以上の開口を含む。
【００４０】
図7Bおよび図7Cを参照すると、いくつかの実施形態において、第1のハウジング本体104は、ディフューザ127bを受け入れるための1つ以上のスロットまたはレセプタクル127aを含む。スロット127aは、ディフューザ127bが照明要素116からの光を均一に分配するように配置されるように、照明要素116に位置合わせされる。さらに、ディフューザ127bは、照明要素116が発生させた熱を均一に分配することができる。
【００４１】
ディスプレイユニット108の分解図を示している図7Dを参照すると、ディスプレイユニット108は、種々のコンポーネントを層状の配置にて含み、したがってこれらのコンポーネント／層を、体系的またはモジュール式の様相で積み重ねることによって組み立てることができる。コンポーネント／層を、当業者にとって明らかであるとおり、接着剤／結合材料によって互いに組み立てることができる。ディスプレイユニット108は、ディスプレイユニット108の他の内部の層を保護するためのカバー層108aを含む。ユーザは、例えばカバー層108a上のタッチジェスチャにより、ディスプレイユニット108を介して生理学的デバイス20とインターフェースする。カバー層108を、ひっかき傷に強く、飛散防止性であるガラス材料で製作することができる。カバー層108を、当業者によく知られているプラスチックまたは複合材料などの他の材料で製作してもよいことは、理解できるであろう。ディスプレイユニット108は、生理学的デバイス20が屋外で使用されるときに太陽光のまぶしさなどのまぶしさを遮るための着色層／パネル108bを含む。ディスプレイユニット108は、表示視覚化のための固定または所定の空間を提供するためのマスクまたはロゴ層／パネル108cを含む。固定または所定の空間は、図4Bに示されるとおりの非アクティブ領域114に対応する境界空間を含む。ディスプレイユニット108は、第1の回路アセンブリ120から受信した情報に基づいて表示を出力するためのITO（酸化インジウムスズ）層／パネル108dを含む。ディスプレイユニット108は、電流に応答して発光する発光エレクトロルミネセント層であるOLED（有機発光ダイオード）層／パネル108eを含む。あるいは、層／パネル108eは、LEDまたは液晶ディスプレイ（LCD）など、別の種類の発光層であってもよい。層／パネル108eは、平坦であっても、湾曲した形状であってもよい。ディスプレイユニット108は、他の各々の層108a〜108eを組み合わせてディスプレイユニット108を形成するための支持層108fを含む。一実施形態において、支持層108fは、他の層108a〜108eを一体に組み合わせるための接着材料を有する。さらに、支持層108fは、ディスプレイユニット108を介した第1のハウジングアセンブリ100への液体または水の進入／浸透を防止するためのシール要素としても機能する。
【００４２】
ディスプレイユニット108を、層108a〜108fのうちの1つ以上を持たないように変更してもよく、同様に、ディスプレイユニット108を、当業者にとって知られた追加の層またはパネルを含むように変更してもよいことを、理解できるであろう。一実施形態において、支持層108fは、ディスプレイユニット108を第1のハウジング本体104に取り付けるための接着材料を有する。別の実施形態において、ディスプレイユニット108は、ディスプレイユニット108の容易な分解および再組み立てをユーザにとって可能にする当業者に知られた取り付けまたは係止機構によって、第1のハウジング本体104に取り外し可能に結合する。
【００４３】
分解された形態のヘッドアセンブリ30の断面図を示している図8を参照すると、ヘッドアセンブリ30は、ヘッドアセンブリ30への液体または水の進入／透過を防止するためのさまざまなシール要素を含む。例えば、第2のハウジングアセンブリ200は、生理学的センサ204のためのセンサ保護カバー222を含む。具体的には、センサ保護カバー222は、生理学的センサ204を水の進入から保護および密閉する。センサ保護カバー222は、光を依然として照明要素208から皮膚へと伝えることができ、生理学的信号を効果的に測定できるように、透明部分を含む。透明部分は、測定の質を改善するために、拡大効果を有することができる。拡大効果は、例えば対物レンズなどの1つ以上の他の光学要素を追加することによって達成可能である。第2のハウジングアセンブリ200は、電気接点210のためのシールカバー224を含むことができる。シールカバー224を、バッテリ212の充電が必要であるときにユーザが取り外すことができ、生理学的デバイス20の使用時に耐水性を維持するためにシールカバー224を再び配置することができる。
【００４４】
いくつかの実施形態において、第1のハウジングアセンブリ100は、アクチュエータ118のためのシール要素128を含む。アクチュエータ118の周囲の領域の断面図を示している図9を参照すると、シール要素128は、内側作動部118aを取り囲んでいる。内側作動部118aは、ユーザによる操作のために露出した外側作動部118bに接続され、あるいは一体に結合している。シール要素128は、内側作動部118aを密封して、第1のハウジングアセンブリ100への液体／水の進入／浸透を防止するOリングまたはトーリックジョイントであってよく、あるいはそのようなOリングまたはトーリックジョイントを含むことができる。
【００４５】
第1のハウジングアセンブリ100は、アクチュエータ118をユーザによる操作後に再び操作前の状態へと付勢するために、例えば圧縮ばねなどの一式の付勢機構130を含む。具体的には、ユーザが外側作動部118bを押し込むと、内側作動部118aが動き、第1の回路アセンブリ120のスイッチモジュールまたはコンポーネント132に接触することにより、ウェアラブルデバイス20上で動作または機能が実行される。付勢機構130は、アクチュエータ118を作動状態から非作動状態へと戻す。内側作動部118aを、第1のハウジング本体104の穴を通って、適切な工学的公差で、第1のハウジング本体104に組み付けられる。工学的公差は、内側作動部118aを穴に整列させ、アクチュエータ118の軸方向の安定性を改善するように決定される。第1のハウジングアセンブリ100は、内側作動部118aを留め、アクチュエータ118の第1のハウジングアセンブリ100からの取り外しを防止するためのクリップ機構134を含む。さらに、クリップ機構134は、例えば損傷したアクチュエータ118の交換などのために、アクチュエータ118を取り外すために、第1のハウジング本体104から分離可能であってよい。
【００４６】
いくつかの実施形態において、図8を参照すると、第1のハウジングアセンブリ100は、第1の回路アセンブリ120に通信可能に接続されたデータ通信モジュールまたはコンポーネント136を含む。さらに、図10に示される機能ブロック図を参照すると、ウェアラブル生理学的デバイス20は、データ通信モジュール136を介して電子デバイス50と通信可能である。電子デバイス50は、携帯電話機、スマートフォン、携帯情報端末（PDA）、タブレット、ラップトップ、またはコンピュータなどのモバイルデバイスであってよい。随意により、ヘッドアセンブリ30は、USB（ユニバーサルシリアルバス）ケーブルを受け入れるためのUSBポートなど、電子デバイス50へと接続できる通信ケーブルへの接続のための通信ポートを含む。あるいは、電子デバイス50は、物理的なデータ処理システムまたはクラウドデータ処理システムであるリモートサーバであり、コンピュータ、ラップトップ、ミニコンピュータ、メインフレームコンピュータ、機械可読コードを実行できる任意の非一時的かつ有形のマシン、クラウドベースのサーバ、分散サーバネットワーク、およびコンピューターシステムのネットワークを含む。
【００４７】
当業者であれば容易に理解できるとおり、データ通信モジュール136を介した生理学的デバイス20と電子デバイス50との間の通信は、無線通信プロトコルなどによって通信ネットワークを介して行われ得る。一例において、通信ネットワークは、Wi−Fi、Bluetooth（登録商標） Low Energy（BLE）、または近距離無線通信（NFC）など、短距離であってよい。別の例において、通信ネットワークは、ローカルエリアネットワーク（LAN）、ワイヤレスエリアネットワーク（WAN）、電信電話ネットワーク、セルラーネットワーク、衛星ネットワーク、またはLoRa WAN（ロングレンジWAN）など、長距離であってよい。
【００４８】
本明細書の種々の実施形態において開示されるように、生理学的デバイス20は、ユーザの生理学的健康を監視するためにユーザの手首に装着可能である。具体的には、生理学的センサ204は、ユーザの血管からの生理学的信号を測定し、それらの生理学的信号を第2の回路アセンブリ214に通信し、次いで処理のために第1の回路アセンブリ120へと通信する。第1の回路アセンブリ120および第2の回路アセンブリ214の各々は、前記処理を実行するためのコンピュータプロセッサまたはマイクロプロセッサを含む。処理されたデータは、ユーザの活動、睡眠、またはストレス状態に関する情報など、さまざまな種類の情報をユーザに提供することができ、そのような情報は、ディスプレイユニット108および照明要素116を介してユーザに提示される。例えば、画面110は、ユーザに情報を提示するための1つ以上のアイコンを表示することができる。アイコンは、ユーザがストレス状態にあるとき、通常の状態にあるとき、またはデータが取得されていないときなど、さまざまな状況に関係することができる。
【００４９】
さらに、照明要素116は、例えばユーザのストレス状況または状態などの視覚的表示をユーザに提供することができる。例えば、紫色で照明された照明要素116が、異常なストレス状態を表すことができる一方で、緑色は、正常な状態を表すことができる。他の色は、センサ204からの生理学的データが存在せず、もしくは不充分であり、さらには／あるいはセンサ204が故障／誤動作しているなど、他の情報を知らせることができる。上述のように、照明要素106をユーザが他の色の照明要素で置き換えてもよい。
【００５０】
さらに、情報を、例えばユーザの活動／睡眠／ストレス履歴についてのデータ記録を残すために、生理学的デバイス20から電子デバイス50へと通信してもよい。本明細書において明示的には説明されないが、ヘッドアセンブリ30を、追加のアラートデバイス（音および／または触覚）などの追加のコンポーネントを含むように修正できることを、理解できるであろう。いくつかの他のコンポーネントとして、これらに限られるわけではないが、加速度計、ジャイロスコープ、および磁力計を挙げることができる。
【００５１】
ウェアラブル生理学的デバイスの組み立て／分解
ヘッドアセンブリ30は、さまざまな部品またはコンポーネントを互いに組み立てることによって形成される。これらのコンポーネントのいくつかは、ユーザによる交換が可能であるように取り外し可能に結合する。例えば、第1のハウジングアセンブリ100および第2のハウジングアセンブリ200は、互いに取り外し可能に結合する。
【００５２】
図11が、第1のハウジングアセンブリ100の組み立てを示している。簡潔にするために、主要な工程だけを説明する。第1のハウジング本体104を、当業者に知られた標準的な製造技術によって形成することができる。第1のハウジング本体104を、単一の一体的な物体として形成することができ、あるいは互いに接合された複数の構造体／物体から形成することができる。ユーザインターフェースアセンブリ106が、第1のハウジング本体104に結合される。具体的には、ディスプレイユニット108およびアクチュエータ118が、第1のハウジング本体104に結合される。一実施形態において、ディスプレイユニット108は、接着剤によって結合される。別の実施形態において、ディスプレイユニット108は、取り付けまたは係止機構によって取り外し可能に結合される。第1の回路アセンブリ120が、一式の締結具またはねじ122などにより、第1のハウジング本体104に取り外し可能に結合される。したがって、第1のハウジングアセンブリ100のさまざまなコンポーネントが、最小限の労力で、積層または層状の配置にて、互いに容易に組み立てられる。分解も逆のやり方で容易に実行できることを、理解できるであろう。例えば、ディスプレイユニット108の取り外し／切り離しの前に、まず第1の回路アセンブリ120の取り外し／切り離しが必要であるかもしれない。
【００５３】
図12が、第2のハウジングアセンブリ200の組み立てを示している。簡潔にするために、主要な工程だけを説明する。第2のハウジング本体202を、当業者に知られた標準的な製造技術によって形成することができる。第2のハウジング本体202を、単一の一体的な物体として形成することができ、あるいは互いに接合された複数の構造体／物体から形成することができる。第2の回路アセンブリ214は、取り付け機構または係止機構などにより、第2のハウジング本体202に取り外し可能に結合される。さらに、触覚デバイス218が、締結具／ねじなどによって第2のハウジング本体202に取り外し可能に結合される。バッテリ212が、第2の回路アセンブリ214上に配置することにより、第2のハウジング本体202に取り外し可能に結合される。具体的には、可撓コネクタ216の一端が持ち上げられ、バッテリ212が、第2の回路アセンブリ214と可撓コネクタ216との間に配置される。随意により、振動吸収器226が、締結具／ねじなどを用いて、第2のハウジング本体202に取り外し可能に結合される。振動吸収器226は、触覚デバイス218を覆うように配置され、触覚デバイス218の動きによって引き起こされる振動を吸収または低減する。したがって、第2のハウジングアセンブリ200のさまざまなコンポーネントが、最小限の労力で、積層または層状の配置にて、互いに容易に組み立てられる。分解も逆のやり方で容易に実行できることを、理解できるであろう。例えば、第2の回路アセンブリ214の取り外し／切り離しの前に、まずバッテリ212の取り外し／切り離しが必要であるかもしれない。
【００５４】
図13が、第1のハウジングアセンブリ100および第2のハウジングアセンブリ200の互いの組み立てを示している。具体的には、第1のハウジングアセンブリ100および第2のハウジングアセンブリ200が、一式の締結具またはねじを介して互いに取り外し可能に結合される。この結合にて、可撓コネクタ216は、第1の回路アセンブリ120と第2の回路アセンブリ214との間の通信のために、第2の回路アセンブリ214を第1の回路アセンブリ120に接続する。
【００５５】
組み立てプロセスをさらに簡略化するために、触覚デバイス218などの第1の回路アセンブリ120に結合したコンポーネントの間の接続部は、ケーブルの代わりにばね指を使用して結合される。さらに、第1のハウジングアセンブリ100および第2のハウジングアセンブリ200が互いに結合されるとき、両者の間を接続するものは、可撓コネクタ216だけである。この可撓コネクタ216は、接続が容易であり、特別な工具を必要としない。
【００５６】
したがって、第1のハウジングアセンブリ100および第2のハウジングアセンブリ200ならびにそれらのさまざまなコンポーネントが、最小限の労力で、積層または層状の配置にて、互いに容易に組み立てられる。このようにして、ヘッドアセンブリ30のさまざまなコンポーネントは、ユーザによって分解および再組み立てされ得る。これらのコンポーネントを、損傷したり、長期間の使用によって摩耗したりした場合に、ユーザが容易に交換することができる。とくには、例えば生理学的センサ204およびバッテリ212などの常に活動状態にあるコンポーネントは、他のコンポーネントよりも寿命が短く、それらの動作性能が時間とともに損なわれやすい。
【００５７】
好都合なことに、1つまたはいくつかの構成要素のみが損傷した場合に、ユーザは、生理学的デバイス20またはヘッドアセンブリ30の全体を交換する必要がなく、したがって生理学的デバイス20の修理にかかる費用が削減される。生理学的デバイス20について、ユーザの管理の余地が大きくなり、これは、生理学的デバイス20の寿命を延ばすのに役立つ。
【００５８】
さらに、時間の経過とともに一部のコンポーネントが旧式になる可能性があり、ユーザは、これらのコンポーネントをアップグレードされたバージョンに置き換えることができる。さらに、ユーザは、他の種類の生理学的信号またはデータを測定するために、例えばフォトダイオードセンサを心拍／血圧センサで置き換えるなど、生理学的センサ204を他の種類に置き換えることを選択することもできる。したがって、ウェアラブル生理学的デバイス20は、設計においてカスタマイズ可能であり、ユーザは、容易に生理学的デバイス20を分解し、おそらくは修理／アップグレードされたコンポーネントにて再び組み立てることができる。
【００５９】
生理学的装置
本開示の代表的または典型的な実施形態においては、ウェアラブル生理学的デバイス20と、生理学的デバイス20を1つの向きにてドッキングさせるための図14に示されるとおりのドッキングステーション300とを含む生理学的装置が存在する。具体的には、生理学的デバイス20は、生理学的デバイス20の充電のためにドッキングステーション300にドッキング可能である。生理学的デバイス20がドッキングステーション300にドッキングすると、生理学的装置は、生理学的デバイス20からのデータを精査するための別のプラットフォームまたは方法を提供する。
【００６０】
ドッキングステーション300は、ドッキングアセンブリ302と、ドッキングアセンブリ302上に配置された一式の電気コネクタ304とを含む。ドッキングアセンブリ302は、生理学的デバイス20のボス部206を受け入れるためのレセプタクル部306を含む。ボス部206とは、第2のハウジング本体202の下部を指す。レセプタクル部306は、生理学的デバイス20をドッキングステーション300にドッキングさせたときにボス部206がレセプタクル部306にぴったりとはまるように、ボス部206と実質的に適合する。ボス部206およびレセプタクル部306が、所望のはまり合いを達成するための適切な工学的公差を有することを、理解できるであろう。
【００６１】
いくつかの実施形態においては、前記ドッキング時に、電気コネクタ304が、ボス部206上に配置された電気接点210に自動的に整列する。一実施形態において、ボス部206およびレセプタクル部306は、円形の形状を有する。戻り止めなどのさまざまな機構を実装して、レセプタクル部306におけるボス部206の回転に抵抗し、あるいはそのような回転を拘束することができる。したがって、レセプタクル部306にボス部206を受け入れることができるただ1つの向きが存在し、したがって電気コネクタ304と電気接点210との間の整列が達成される。別の実施形態において、ボス部206およびレセプタクル部306は、多角形の形状を有する。具体的には、多角形の形状は、レセプタクル部306にボス部206を受け入れることができるただ1つの向きが存在するように、不規則な多角形である。
【００６２】
さらに図15を参照すると、ドッキングアセンブリ302は、一式の締結具312によって互いに取り外し可能に結合する第1のドッキング本体308および第2のドッキング本体310を含む。締結具312は、ねじ回しなどの一般的な家庭用工具でユーザが取り外すことができるねじまたはボルトであってよい。したがって、第1のドッキング本体308および第2のドッキング本体310は、ユーザによる容易な分解および再組み立てが可能である。あるいは、各々の締結具312は、第1のドッキング本体308および第2のドッキング本体310上に配置されたスナップレシーバへと取り付け可能なスナップ突起を有することができる。
【００６３】
ドッキングステーション300は、第1のドッキング本体308および／または第2のドッキング本体310に取り外し可能に結合したドッキング回路アセンブリ314を含む。ドッキング回路アセンブリ314は、PCBを含む。ドッキング回路アセンブリ314は、電気コネクタ304と、電気／通信ポートにつながる電気ケーブル316とに電気的に接続される。電気ケーブル316は、USBケーブルであってよい。電気コネクタ304は、ポゴピンの形態であってよい。前記ドッキングおよび電源への接続時に、電気コネクタ304は電気接点210に接続され、電気が、生理学的デバイス20のバッテリ212を充電するために、電源から電気コネクタ304および電気接点210へと導かれる。あるいは、ユーザは、生理学的デバイス20をドッキングさせたままにする必要なく、ユーザが充電中も依然として生理学的デバイス20を使用できるように、電気／通信ポートと生理学的デバイス20との間に外部電気／通信ケーブルを接続してもよい。
【００６４】
ドッキングステーション300は、第1のドッキング本体308に結合した一式の磁石318を含む。磁石318は、ボス部206をレセプタクル部306へと引き付け、電気コネクタ304を電気接点210に自動的に整列させるように配置される。ボス部206、または少なくともその外面を、磁石318による磁気的な引き付けを達成するために、磁性材料または金属材料で製作することができる。さらに、当業者であれば容易に理解できるとおり、ヘッドアセンブリ30は、ヘッドアセンブリ30の敏感なコンポーネントを保護するために、何らかの形態の磁気シールドを含むことができる。
【００６５】
ドッキングステーション300は、ドッキングアセンブリ302を持ち上げ、前記ドッキング時に生理学的デバイス20のストラップ22の張力を低減するための一式のスタンド320を含む。例えば、生理学的デバイス20が、持ち上げられたドッキングアセンブリ302を有するドッキングステーション300にドッキングしたときに、ストラップ22を弛緩した状態でぶら下げることができ、したがってストラップ22の張力が低減される。スタンド320は、ドッキングステーション300が表面上に置かれたときの安定性のために、ゴム引きされてもよい。ドッキングステーション300を、さまざまな場所での使用のために持ち運び容易となるように、軽量な材料で製作することができる。
【００６６】
コンピュータの技術的アーキテクチャ
図16が、本開示の実施形態によるコンピュータ400の技術的アーキテクチャを説明するブロック図を示している。コンピュータ400のいくつかの例は、これらに限られるわけではないが、生理学的デバイス20および電子デバイス50である。コンピュータ400は、プロセッサ／中央処理装置（CPU）402、メモリデバイス404、データベース406、データ通信モジュール408、および生理学的データモジュール410を含む。
【００６７】
プロセッサ402は、メモリデバイス404から命令、コード、コンピュータプログラム、および／またはスクリプトにアクセスし、これらを実行する。プロセッサ402は、そのような動作または工程を実行するための適切な論理、回路、および／またはインターフェースを含む。プロセッサ402のいくつかの例として、これらに限られるわけではないが、特定用途向け集積回路（ASIC）プロセッサ、縮小命令セット演算（RISC）プロセッサ、複合命令セット演算（CISC）プロセッサ、フィールドプログラマブルゲートアレイ（FPGA）、などが挙げられる。プロセッサ402が1つだけ示されているが、複数のプロセッサ402が存在してもよい。したがって、命令は、プロセッサ402によって実行されるものとして論じられるかもしれないが、命令は、（例えば、マルチコア構成の）1つ以上のプロセッサ402によって同時に実行されても、順次に実行されても、あるいは他のやり方で実行されてもよい。
【００６８】
メモリデバイス404は、ストレージデバイス（フラッシュメモリ、ディスクドライブ、またはメモリカード、など）、読み出し専用メモリ（ROM）、およびランダムアクセスメモリ（RAM）を備えることができる。メモリデバイス404は、プロセッサ402によって動作する非一時的な命令を格納する。メモリデバイス404を、コンピュータ可読記憶媒体および／または非一時的コンピュータ可読媒体と呼ぶこともできる。非一時的コンピュータ可読媒体は、すべてのコンピュータ可読媒体を含むが、唯一の例外は、一時的な伝播信号自体である。
【００６９】
データベース406は、データの格納に適した任意のコンピュータ動作のハードウェアである。データベース406は、ハードディスクおよび／またはソリッドステートディスクなどの複数のストレージユニットを、独立ディスクの冗長アレイ（RAID）構成にて含むことができる。データベース406は、これらに限られるわけではないが、ストレージエリアネットワーク（SAN）および／またはネットワークアタッチドストレージ（NAS）システムを含むことができる。データ通信モジュール408は、他のコンピュータ400と通信するように構成される。
【００７０】
生理学的データモジュール410は、生理学的データを測定および処理するように構成される。生理学的データを使用してさまざまな評価および／または診断を行って、ユーザにとって有用な情報を生成するためのさまざまなアルゴリズムを、生理学的データモジュール410に実装することができる。
【００７１】
以上の詳細な説明においては、ウェアラブル生理学的デバイスおよび生理学的装置に関する本開示の実施形態が、提示の図を参照して説明されている。本明細書における種々の実施形態の説明は、本開示の具体的な表現または特定の表現を呼び出すことも、本開示の具体的な表現または特定の表現のみへの限定も意図しておらず、単に本開示の非限定的な例を示すことを意図している。本開示は、先行技術に関連する上述の課題および問題のうちの少なくとも1つへの対処に役立つ。本開示のいくつかの実施形態のみを本明細書において開示したが、この開示に照らして、開示された実施形態について、本開示の範囲から逸脱することなくさまざまな変更および／または修正が可能であることは、当業者にとって明らかであろう。したがって、本開示の範囲および以下の特許請求の範囲の範囲は、本明細書に記載の実施形態に限定されない。
【図１Ａ】
2021514770.tif 000003
【図１Ｂ】
2021514770.tif 000004
【図１Ｃ】
2021514770.tif 000005
【図１Ｄ】
2021514770.tif 000006
【図２Ａ】
2021514770.tif 000007
【図２Ｂ】
2021514770.tif 000008
【図３Ａ】
2021514770.tif 000009
【図３Ｂ】
2021514770.tif 000010
【図３Ｃ】
2021514770.tif 000011
【図３Ｄ】
2021514770.tif 000012
【図４Ａ】
2021514770.tif 000013
【図４Ｂ】
2021514770.tif 000014
【図４Ｃ】
2021514770.tif 000015
【図４Ｄ】
2021514770.tif 000016
【図５】
2021514770.tif 000017
【図６】
2021514770.tif 000018
【図７Ａ】
2021514770.tif 000019
【図７Ｂ】
2021514770.tif 000020
【図７Ｃ】
2021514770.tif 000021
【図７Ｄ】
2021514770.tif 000022
【図８】
2021514770.tif 000023
【図９】
2021514770.tif 000024
【図１０】
2021514770.tif 000025
【図１１】
2021514770.tif 000026
【図１２】
2021514770.tif 000027
【図１３】
2021514770.tif 000028
【図１４】
2021514770.tif 000029
【図１５】
2021514770.tif 000030
【図１６】
2021514770.tif 000031
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
ウェアラブル生理学的デバイスであって、
（a）第1のハウジング本体と、
前記第1のハウジング本体に取り外し可能に結合した第1の回路アセンブリと、
前記第1の回路アセンブリに通信可能に接続されたユーザインターフェースアセンブリと
を備える第1のハウジングアセンブリと、
（b）前記第1のハウジングアセンブリに取り外し可能に結合して当該ウェアラブル生理学的デバイスのヘッドアセンブリを形成する第2のハウジングアセンブリであって、
第2のハウジング本体と、
前記第2のハウジング本体に取り外し可能に結合し、一式の生理学的センサを備えている第2の回路アセンブリと、
前記第2の回路アセンブリ上に配置された取り外し可能なバッテリと、
前記第2の回路アセンブリを前記第1の回路アセンブリに通信可能に接続する可撓コネクタと
を備え、前記可撓コネクタの一端が前記取り外し可能なバッテリと前記第2の回路アセンブリとの間に配置され、前記可撓コネクタの他端が前記取り外し可能なバッテリと前記第1の回路アセンブリとの間に配置されている、
第2のハウジングアセンブリと
を備え、
前記一式の生理学的センサは、当該ウェアラブル生理学的デバイスを装着中のユーザからの生理学的信号を測定するように構成され、前記生理学的信号を前記ユーザインターフェースアセンブリへと通信可能である、ウェアラブル生理学的デバイス。
【請求項２】
前記一式の生理学的センサは、前記ユーザからのフォトプレチスモグラム（PPG）信号を測定するための1つ以上のフォトダイオードセンサを備える、請求項1に記載のウェアラブル生理学的デバイス。
【請求項３】
前記一式の生理学的センサは、前記ユーザの体温を測定するための1つ以上の温度センサを備える、請求項1または2に記載のウェアラブル生理学的デバイス。
【請求項４】
前記ユーザインターフェースアセンブリは、ディスプレイユニットを備える、請求項1〜3のいずれか一項に記載のウェアラブル生理学的デバイス。
【請求項５】
前記ディスプレイユニットは、前記ユーザによるタッチジェスチャ操作に合わせて構成されている、請求項4に記載のウェアラブル生理学的デバイス。
【請求項６】
前記ユーザインターフェースアセンブリは、視覚的信号を前記ユーザへと伝えるための一式の照明要素を備える、請求項1〜5のいずれか一項に記載のウェアラブル生理学的デバイス。
【請求項７】
前記第2のハウジングアセンブリは、前記第2のハウジング本体上に配置された一式の電気接点をさらに備え、前記一式の電気接点は、前記バッテリを充電するための電源に接続可能である、請求項1〜6のいずれか一項に記載のウェアラブル生理学的デバイス。
【請求項８】
前記第2のハウジングアセンブリは、前記一式の生理学的センサのためのセンサ保護カバーをさらに備える、請求項1〜7のいずれか一項に記載のウェアラブル生理学的デバイス。
【請求項９】
前記第1および第2のハウジング本体を取り外し可能に結合させるための一式の締結具をさらに備える、請求項1〜8のいずれか一項に記載のウェアラブル生理学的デバイス。
【請求項１０】
前記第1および第2のハウジング本体の間に配置された中間支持体をさらに備え、前記中間支持体は、前記第1および第2のハウジング本体の周辺を囲むことにより、前記第1および第2のハウジングアセンブリへの液体の進入を抑制する、請求項1〜9のいずれか一項に記載のウェアラブル生理学的デバイス。
【請求項１１】
前記第1の回路アセンブリに通信可能に接続されたデータ通信モジュールをさらに備える、請求項1〜10のいずれか一項に記載のウェアラブル生理学的デバイス。
【請求項１２】
前記データ通信モジュールを介して電子デバイスと通信可能である、請求項11に記載のウェアラブル生理学的デバイス。
【請求項１３】
一式のストラップをさらに備えており、前記第1のハウジングアセンブリは、前記ストラップを取り外し可能に取り付けるための一式のラグをさらに備える、請求項1〜12のいずれか一項に記載のウェアラブル生理学的デバイス。
【請求項１４】
前記第1のハウジングアセンブリは、前記ラグに配置された第1の係合要素をさらに備え、各々のストラップは、前記それぞれの第1の係合要素に噛み合って係合することができる第2の係合要素を備える、請求項13に記載のウェアラブル生理学的デバイス。
【請求項１５】
前記第1および第2の係合要素は、互いに一意に適合および整列する、請求項14に記載のウェアラブル生理学的デバイス。
【請求項１６】
各々のストラップは、該ストラップの近位端から遠位端へと寸法が小さくなる複数の穴を備える、請求項13〜15のいずれか一項に記載のウェアラブル生理学的デバイス。
【請求項１７】
各々のストラップにおいて、前記穴はランダムな間隔である、請求項16に記載のウェアラブル生理学的デバイス。
【請求項１８】
（a）ウェアラブル生理学的デバイスであって、
（i）第1のハウジング本体と、
前記第1のハウジング本体に取り外し可能に結合した第1の回路アセンブリと、
前記第1の回路アセンブリに通信可能に接続されたユーザインターフェースアセンブリと
を備える第1のハウジングアセンブリと、
（ii）前記第1のハウジングアセンブリに取り外し可能に結合して当該ウェアラブル生理学的デバイスのヘッドアセンブリを形成する第2のハウジングアセンブリであって、
第2のハウジング本体と、
前記第2のハウジング本体に取り外し可能に結合し、生理学的信号を測定するための一式の生理学的センサを備えている第2の回路アセンブリと、
前記第2の回路アセンブリ上に配置された取り外し可能なバッテリと、
一端が前記取り外し可能なバッテリと前記第2の回路アセンブリとの間に配置され、他端が前記取り外し可能なバッテリと前記第1の回路アセンブリとの間に配置され、第2の回路アセンブリを第1の回路アセンブリに通信可能に接続する可撓コネクタと、
前記第2のハウジング本体上に配置された一式の電気接点と
を備える第2のハウジングアセンブリと
を備えているウェアラブル生理学的デバイスと、
（b）前記ウェアラブル生理学的デバイスを1つの向きにてドッキングさせるためのドッキングステーションであって、
（i）ドッキングアセンブリと、
（ii）前記ドッキングアセンブリ上に配置され、前記ドッキング時に前記ウェアラブル生理学的デバイスの前記電気接点に整列する一式の電気コネクタと
を備えているドッキングステーションと
を備え、
前記電気コネクタは、前記バッテリを充電するために前記ドッキング時に前記電気接点に接続可能である、生理学的装置。
【請求項１９】
前記第2のハウジング本体は、ボス部を備え、前記ドッキングアセンブリは、前記ボス部と実質的に合同なレセプタクル部を備える、請求項18に記載の生理学的装置。
【請求項２０】
前記ボス部は、ただ1つの向きにて前記レセプタクル部に受け入れ可能である、請求項19に記載の生理学的装置。
【請求項２１】
前記レセプタクル部は前記ドッキング時に前記ボス部を受け入れ、前記電気コネクタは、前記ウェアラブル生理学的デバイスの前記電気接点に自動的に整列する、請求項19または20に記載の生理学的装置。
【請求項２２】
前記ドッキングステーションは、前記ボス部を前記レセプタクル部へと引き付け、前記電気コネクタを前記電気接点に自動的に整列させるための一式の磁石をさらに備える、請求項21に記載の生理学的装置。
【請求項２３】
前記ドッキングステーションは、通信ケーブルを受け入れるための通信ポートをさらに備える、請求項18〜22のいずれか一項に記載の生理学的装置。
【請求項２４】
前記ウェアラブル生理学的デバイスは、一式のラグおよび該一式のラグに取り外し可能に取り付けられた一式のストラップをさらに備える、請求項18〜23のいずれか一項に記載の生理学的装置。
【請求項２５】
前記ウェアラブル生理学的デバイスは、前記ラグに配置された第1の係合要素をさらに備え、各々のストラップは、前記それぞれの第1の係合要素に噛み合って係合することができる第2の係合要素を備える、請求項24に記載の生理学的装置。
【請求項２６】
前記第1および第2の係合要素は、互いに一意に適合および整列する、請求項25に記載の生理学的装置。
【請求項２７】
各々のストラップは、該ストラップの近位端から遠位端へと寸法が小さくなる複数の穴を備える、請求項24〜26のいずれか一項に記載の生理学的装置。
【請求項２８】
各々のストラップにおいて、前記穴はランダムな間隔である、請求項27に記載の生理学的装置。
【請求項２９】
前記ドッキングステーションは、前記ドッキングアセンブリを持ち上げるための一式のスタンドをさらに備える、請求項18〜28のいずれか一項に記載の生理学的装置。
【請求項３０】
前記電気コネクタは、ポゴピンを備える、請求項18〜29のいずれか一項に記載の生理学的装置。
【国際調査報告】
2021514770.tif 000032
2021514770.tif 000033
2021514770.tif 000034